(57)【特許請求の範囲】
【請求項１】
電子書籍の書籍情報を読み出す書籍情報読出手段と、
読み出した書籍情報に基づいて、前記電子書籍の内容を表示する書籍ビュー画面を表示する書籍ビュー表示手段と、
前記書籍ビュー画面に表示された前記電子書籍のページ毎に対応付けられた前記電子書籍に関連する商品の選択操作を受け付ける商品選択受付手段と、
前記商品選択受付手段が受け付けた前記商品に関する商品情報を読み出す商品情報読出手段と、
前記商品選択受付手段が受け付けた前記商品に対応付けられ、前記電子書籍とは異なる他の電子書籍の情報を含む関連書籍情報を読み出す関連書籍情報読出手段と、
前記商品情報読出手段が読み出した前記商品の商品情報、及び、前記関連書籍情報読出手段が読み出した前記関連書籍情報を表示するショッピングビュー画面を、前記書籍ビュー画面に代えて表示するショッピングビュー表示手段と、
を備える電子書籍端末。
【請求項２】
前記ショッピングビュー表示手段は、前記商品情報読出手段が読み出した前記商品の商品情報を表示する第１のショッピングビュー画面を、前記書籍ビュー画面に代えて表示し、前記第１のショッピングビュー画面において、前記他の電子書籍の選択操作を前記商品選択受付手段が受け付けると、受け付けた前記他の電子書籍の前記関連書籍情報を表示する第２のショッピングビュー画面を、前記第１のショッピングビュー画面に代えて表示する請求項１に記載の電子書籍端末。
【請求項３】
複数の電子書籍の書籍情報を記憶する電子書籍ＤＢと、
前記電子書籍ＤＢに記憶された前記電子書籍に関連する商品の商品情報、及び、当該商品に対応付けられ、前記電子書籍とは異なる他の電子書籍の情報を含む関連書籍情報を記憶するショッピングＤＢと、
前記ショッピングＤＢを更新する関連情報更新手段と、
を備え、
前記商品情報読出手段及び前記関連書籍情報読出手段は、前記ショッピングＤＢから前記商品情報及び前記関連書籍情報を読み出し、
前記関連情報更新手段は、通信ネットワークを介して接続可能な電子書籍サーバに記憶された前記商品情報及び前記関連書籍情報と前記ショッピングＤＢに記憶された前記商品情報及び前記関連書籍情報とが異なる場合に、前記電子書籍サーバから前記商品情報及び前記関連書籍情報を収集する請求項１または２に記載の電子書籍端末。
【請求項４】
前記商品情報読出手段及び前記関連書籍情報読出手段は、通信ネットワークを介して接続可能な電子書籍サーバから前記商品情報及び前記関連書籍情報を読み出す請求項１に記載の電子書籍端末。
【請求項５】
コンピュータが実行する、
電子書籍の書籍情報を読み出すステップと、
読み出した書籍情報に基づいて、前記電子書籍の内容を表示する書籍ビュー画面を表示するステップと、
前記書籍ビュー画面に表示された前記電子書籍のページ毎に対応付けられた前記電子書籍に関連する商品の選択操作を受け付けるステップと、
受け付けた前記商品に関する商品情報を読み出すステップと、
受け付けた前記商品に対応付けられ、前記電子書籍とは異なる他の電子書籍の情報を含む関連書籍情報を読み出すステップと、
前記商品の商品情報、及び、前記関連書籍情報を表示するショッピングビュー画面を、前記書籍ビュー画面に代えて表示するステップと、
を含む方法。
【請求項６】
コンピュータに、
電子書籍の書籍情報を読み出すステップと、
読み出した書籍情報に基づいて、前記電子書籍の内容を表示する書籍ビュー画面を表示するステップと、
前記書籍ビュー画面に表示された前記電子書籍のページ毎に対応付けられた前記電子書籍に関連する商品の選択操作を受け付けるステップと、
受け付けた前記商品に関する商品情報を読み出すステップと、
受け付けた前記商品に対応付けられ、前記電子書籍とは異なる他の電子書籍の情報を含む関連書籍情報を読み出すステップと、
前記商品の商品情報、及び、前記関連書籍情報を表示するショッピングビュー画面を、前記書籍ビュー画面に代えて表示するステップと、
を実行させるプログラム。
【発明の詳細な説明】
【技術分野】
【０００１】
本発明は、電子書籍をプラットフォームとして、ショッピングの機会を提供する電子書籍端末、方法及びプログラムに関する。
【背景技術】
【０００２】
近年、携帯端末の発展に伴い、小型表示装置を搭載した携帯端末に電子化した書籍を保存し、当該表示装置に表示して読書する電子書籍と呼ばれる形態が普及しつつある。紙に印刷された本ではなく電子化された書籍を専用の端末に保存すれば足りるため、電子書籍では多量の書籍を容易に持ち運びすることができる。
【０００３】
書籍を電子化したことから書籍の閲覧状況を管理し、マーケティングに利用する方法が開発されており、特許文献１には、電子書籍の閲覧時間などの読書状況から客観的なマーケティング情報を算出する電子ブックシステムが開示されている。
【先行技術文献】
【特許文献】
【０００４】
【特許文献１】特開２００４−２５２８６９号公報
【０００５】
また、電子化されたデータであるため、書籍データと音楽データとを融合し、従来にない新たなメディアを展開する試みもなされている。例えば、２０１０年７月１６日には、著  村上龍の「歌うクジラ」という電子書籍が発売されており、この電子書籍では、長編小説の物語に併せて所定の音楽が流れるようになっている。
【発明の概要】
【発明が解決しようとする課題】
【０００６】
しかしながら、上記電子書籍では、同時に流れる音楽をユーザが購入することを望んだ場合、この音楽を購入するためのＷｅｂページや別のアプリケーションを立ち上げなければならず、ユーザにとって煩雑であり、購入意欲が減退してしまうおそれがある。
【０００７】
本発明は、このような問題に鑑みてなされたものであり、電子書籍を契機として購買意欲が増した商品を、別のアプリケーションを立ち上げるなどの煩雑な操作をすることなく購入可能な電子書籍端末、方法及びプログラムを提供することを目的とする。
【課題を解決するための手段】
【０００８】
（１）  電子書籍の書籍情報を読み出す書籍情報読出手段と、読み出した書籍情報に基づいて、前記電子書籍の内容を表示する書籍ビュー画面を表示する書籍ビュー表示手段と、前記書籍ビュー画面に表示された前記電子書籍のページ毎に対応付けられた前記電子書籍に関連する商品の選択操作を受け付ける商品選択受付手段と、前記商品選択受付手段が受け付けた前記商品に関する商品情報を読み出す商品情報読出手段と、前記商品選択受付手段が受け付けた前記商品に対応付けられ、前記電子書籍とは異なる他の電子書籍の情報を含む関連書籍情報を読み出す関連書籍情報読出手段と、前記商品情報読出手段が読み出した前記商品の商品情報、及び、前記関連書籍情報読出手段が読み出した前記関連書籍情報を表示するショッピングビュー画面を、前記書籍ビュー画面に代えて表示するショッピングビュー表示手段と、を備える電子書籍端末。
【０００９】
（１）の電子書籍端末は、ショッピングビュー表示手段は、書籍ビュー画面において表示される電子書籍に関連する商品（関連商品）の選択操作を受け付けると、書籍ビュー画面に代えて関連商品のショッピングビュー画面を表示する。これにより、電子書籍を契機として購買意欲が増した商品を、別のアプリケーションを立ち上げるなどの煩雑な操作をすることなく購入する機会をユーザに提供することができる。
また、ショッピングビュー画面では、関連商品だけでなく、この関連商品に対応付けられた別の電子書籍（関連書籍）も表示する。これにより、電子書籍端末が表示する電子書籍について、電子書籍→関連商品→関連書籍→関連商品・・・といった一連のサイクルが生成され、電子書籍の円滑な流通を実現することができる。
【００１０】
（２）  前記ショッピングビュー表示手段は、前記商品情報読出手段が読み出した前記商品の商品情報を表示する第１のショッピングビュー画面を、前記書籍ビュー画面に代えて表示し、前記第１のショッピングビュー画面において、前記他の電子書籍の選択操作を前記商品選択受付手段が受け付けると、受け付けた前記他の電子書籍の前記関連書籍情報を表示する第２のショッピングビュー画面を、前記第１のショッピングビュー画面に代えて表示する（１）に記載の電子書籍端末。
【００１２】
（３）  複数の電子書籍の書籍情報を記憶する電子書籍ＤＢと、前記電子書籍ＤＢに記憶された前記電子書籍に関連する商品の商品情報、及び、当該商品に対応付けられ、前記電子書籍とは異なる他の電子書籍の情報を含む関連書籍情報を記憶するショッピングＤＢと、前記ショッピングＤＢを更新する関連情報更新手段と、を備え、前記商品情報読出手段及び前記関連書籍情報読出手段は、前記ショッピングＤＢから前記商品情報及び前記関連書籍情報を読み出し、前記関連情報更新手段は、通信ネットワークを介して接続可能な電子書籍サーバに記憶された前記商品情報及び前記関連書籍情報と前記ショッピングＤＢに記憶された前記商品情報及び前記関連書籍情報とが異なる場合に、前記電子書籍サーバから前記商品情報及び前記関連書籍情報を収集する（１）または（２）に記載の電子書籍端末。
【００１３】
（３）の電子書籍端末によれば、電子書籍の閲覧や関連商品又は関連書籍の選択を電子書籍端末が備えるＤＢ（データベース）のみ、すなわち、オフライン状態で行うことができる。また、（３）の電子書籍端末によれば、電子書籍ＤＢ及びショッピングＤＢに記憶される関連商品の商品情報及び関連書籍の関連書籍情報を最新の情報にすることができる。
【００１４】
（４）  前記商品情報読出手段及び前記関連書籍情報読出手段は、通信ネットワークを介して接続可能な電子書籍サーバから前記商品情報及び前記関連書籍情報を読み出す（１）に記載の電子書籍端末。
【００１５】
（４）の電子書籍端末によれば、必要な情報を適宜サーバから読み出すため、余計な情報を記憶しておく必要がない。
【００１６】
（５）  コンピュータが実行する、電子書籍の書籍情報を読み出すステップと、読み出した書籍情報に基づいて、前記電子書籍の内容を表示する書籍ビュー画面を表示するステップと、前記書籍ビュー画面に表示された前記電子書籍のページ毎に対応付けられた前記電子書籍に関連する商品の選択操作を受け付けるステップと、受け付けた前記商品に関する商品情報を読み出すステップと、受け付けた前記商品に対応付けられ、前記電子書籍とは異なる他の電子書籍の情報を含む関連書籍情報を読み出すステップと、前記商品の商品情報、及び、前記関連書籍情報を表示するショッピングビュー画面を、前記書籍ビュー画面に代えて表示するステップと、を含む方法。
【００１７】
（６）  コンピュータに、電子書籍の書籍情報を読み出すステップと、読み出した書籍情報に基づいて、前記電子書籍の内容を表示する書籍ビュー画面を表示するステップと、前記書籍ビュー画面に表示された前記電子書籍のページ毎に対応付けられた前記電子書籍に関連する商品の選択操作を受け付けるステップと、受け付けた前記商品に関する商品情報を読み出すステップと、受け付けた前記商品に対応付けられ、前記電子書籍とは異なる他の電子書籍の情報を含む関連書籍情報を読み出すステップと、前記商品の商品情報、及び、前記関連書籍情報を表示するショッピングビュー画面を、前記書籍ビュー画面に代えて表示するステップと、を実行させるプログラム。
【００１８】
（５）の方法又は（６）のプログラムによれば、（１）の電子書籍端末と同様の効果を奏する。
【発明の効果】
【００１９】
本発明によれば、電子書籍を契機として購買意欲が増した商品を、別のアプリケーションを立ち上げるなどの煩雑な操作をすることなく購入する機会をユーザに提供できるとともに、電子書籍の円滑な流通を実現することができる。
【図面の簡単な説明】
【００２０】
【図１】第１実施形態の電子書籍端末の構成を示す図である。
【図２】電子書籍ＤＢを示す図である。
【図３】ショッピングＤＢを示す図である。
【図４】電子書籍端末の表示部の表示例を示す図である。
【図５】電子書籍端末の書籍購入処理を示すフローチャートである。
【図６】電子書籍端末の関連情報更新処理を示すフローチャートである。
【図７】電子書籍端末の電子書籍閲覧処理を示すフローチャートである。
【図８】第２実施形態の電子書籍ビュアーの構成を示す図である。
【発明を実施するための形態】
【００２１】
［第１実施形態］
以下、本発明の第１実施形態について図１〜図７を参照して説明する。
【００２２】
［電子書籍端末１の構成］
初めに、図１を参照して、第１実施形態の電子書籍端末１の構成について説明する。
電子書籍端末１は、電子書籍を閲覧するための表示部を有する携帯端末であり、購入手段１０と、書籍情報読出手段１１と、書籍ビュー表示手段１２と、商品選択受付手段１３と、商品情報読出手段１４と、関連書籍情報読出手段１５と、ショッピングビュー表示手段１６と、関連情報更新手段１７と、電子書籍ＤＢ１８と、ショッピングＤＢ１９と、を含んで構成される。
【００２３】
購入手段１０は、ユーザからの購入指示を契機として所定の決済処理を行い、電子書籍サーバ２から電子書籍を購入、すなわち、電子書籍サーバ２から電子書籍のデータを受信する。購入手段１０は、電子書籍のデータを受信すると、受信したデータを電子書籍ＤＢ１８及びショッピングＤＢ１９に記憶する。
【００２４】
図２を参照して、電子書籍ＤＢ１８は、購入した書籍の書籍ＩＤや書籍名に対応付けて、この電子書籍の書籍データ（書籍情報）を記憶するとともに、この電子書籍に対応付けられた商品（関連商品）の商品ＩＤを記憶する。ここで、電子書籍の書籍データには、書籍のテキストデータや画像データに加え、閲覧中に流れる音楽データや動画データなどが含まれる。また、関連商品には、電子書籍を閲覧中に流れる音楽や電子書籍に縁のある地域への旅行パックなどの様々な商品が含まれる。これら商品と電子書籍との対応付けは、電子書籍サーバ２の管理者や電子書籍販売者により適宜行われる。なお、商品と電子書籍との対応付けは１対１の対応に限られず、１つの商品が複数の電子書籍に対応付けられることや、１つの電子書籍に複数の商品が対応付けられることがある。１つの電子書籍に複数の商品を対応付けるため、電子書籍のページ毎に関連商品を対応付けることとしてもよい。
【００２５】
続いて、図３を参照して、ショッピングＤＢ１９は、関連商品の商品ＩＤや商品名に対応付けて、この関連商品の商品データ（商品情報）及び関連書籍データ（関連書籍情報）を記憶する。ここで、関連商品の商品データには、関連商品の購入時の決済情報及び関連商品の紹介テキストが含まれ、関連書籍データには、当該関連商品に対応付けられた電子書籍（関連書籍）の書籍名、紹介文及び当該関連書籍の決済情報などが含まれる。
【００２６】
購入手段１０は、電子書籍ＤＢ１８及びショッピングＤＢ１９に記憶するための各種情報（電子書籍のデータ）を電子書籍サーバ２から受信する。すなわち、電子書籍のデータには、電子書籍の書籍データに加え商品データ及び関連書籍データが含まれる。
【００２７】
書籍情報読出手段１１は、電子書籍ＤＢ１８に記憶された書籍データを読み出す。書籍情報読出手段１１は、例えば、所定の書籍選択画面において、ユーザにより選択された書籍の書籍データを電子書籍ＤＢ１８から読み出す。
書籍ビュー表示手段１２は、書籍情報読出手段１１が読み出した書籍データに基づいて、電子書籍端末１の表示部に電子書籍の内容を表示する書籍ビュー画面３０を表示する。なお、書籍ビュー画面３０の詳細については、図４で後述するが、書籍ビュー画面３０には、電子書籍の内容を表示する書籍表示部３１に加え、表示されている電子書籍のページに対応付けられた商品の選択操作を受け付ける商品選択部３２が少なくとも含まれる。
【００２８】
商品選択受付手段１３は、書籍ビュー画面３０において、ユーザによる商品選択部３２（詳細には、後述するショッピングビュー切換ボタン３１１）の選択操作を受け付ける。
商品情報読出手段１４は、商品選択受付手段１３が受け付けた商品に関する商品データをショッピングＤＢ１９から読み出す。
関連書籍情報読出手段１５は、商品選択受付手段１３が受け付けた商品に対応付けられた電子書籍であって、書籍ビュー画面３０の書籍表示部３１に表示された電子書籍とは異なる他の電子書籍（関連書籍）の関連書籍データをショッピングＤＢ１９から読み出す。
【００２９】
ショッピングビュー表示手段１６は、商品情報読出手段１４が読み出した商品データ、及び、関連書籍情報読出手段１５が読み出した関連書籍データを表示するショッピングビュー画面５０を書籍ビュー画面３０に代えて表示する。なお、ショッピングビュー画面５０の詳細については、図４で後述するが、ショッピングビュー画面５０には、関連商品の内容を表示する商品説明部５１に加え、当該関連商品に対応付けられた関連書籍の選択操作を受け付ける関連書籍選択部５２、及び関連商品の購入操作を受け付ける商品購入部５３が少なくとも含まれる。図４で後述するように、ショッピングビュー表示手段１６は、ショッピングビュー画面５０において関連書籍選択部５２の選択操作を受け付けると、電子書籍端末１の表示部にショッピングビュー画面５０に代えてショッピングビュー画面７０を表示する。
【００３０】
関連情報更新手段１７は、通信ネットワークを介して接続可能な電子書籍サーバ２から、電子書籍ＤＢ１８に記憶されている電子書籍に対応する関連商品の商品データ、及び当該関連商品に対応付けられた関連書籍の関連書籍データを収集する。関連情報更新手段１７は、商品データ及び関連書籍データを収集すると、これらデータを電子書籍ＤＢ１８及びショッピングＤＢ１９に記憶する。これにより、一度購入した電子書籍の関連商品などが後に更新された場合であっても、購入した電子書籍について最新のデータを反映することができる。
なお、電子書籍サーバ２から収集するタイミングは、任意のタイミングとすることができ、例えば、ユーザからの指示に基づいて収集を行っても良く、また、所定の周期で収集を行ってもよい。
【００３１】
［電子書籍端末１のハードウェア構成］
以上説明した電子書籍端末１のハードウェアは、一般的なコンピュータによって構成することができる。一般的なコンピュータは、例えば、制御部として、中央処理装置（ＣＰＵ）を備える他、記憶部として、メモリ（ＲＡＭ、ＲＯＭ）、ハードディスク（ＨＤＤ）及び光ディスク（ＣＤ、ＤＶＤなど）を、ネットワーク通信装置として、各種有線及び無線ＬＡＮ装置を、表示部として、例えば、液晶ディスプレイ、プラズマディスプレイなどの各種ディスプレイを、入力装置として、例えば、キーボード及びポインティング・デバイス（マウス、トラッキングボールなど）を適宜備え、これらは、バスラインにより接続されている。このような一般的なコンピュータにおいて、ＣＰＵは、電子書籍端末１を統括的に制御し、各種プログラムを適宜読み出して実行することにより、上述したハードウェアと協働し、本発明に係る各種機能を実現している。
【００３２】
［電子書籍端末１の表示部の表示例］
続いて、図４を参照して、電子書籍端末１の表示部の表示例、すなわち、書籍ビュー表示手段１２により表示される書籍ビュー画面３０、ショッピングビュー表示手段１６により表示されるショッピングビュー画面５０及び７０について説明する。
図４（１）は、書籍ビュー画面３０を示し、図４（２）は、関連商品のショッピングビュー画面５０を示し、図４（３）は、関連書籍のショッピングビュー画面７０を示す。
【００３３】
図４（１）を参照して、書籍ビュー画面３０は、書籍表示部３１及び商品選択部３２を含む。書籍表示部３１は、電子書籍の内容を表示し、商品選択部３２は、表示されている電子書籍のページに対応付けられた商品の選択操作を受け付けるショッピングビュー切換ボタン３１１（商品選択受付手段１３）を表示する。図４（１）では、書籍表示部３１には、「○○ＢＧＭ」が流れるページが表示されている。そのため、商品選択部３２には、この「○○ＢＧＭ」の選択操作を受け付けるためのショッピングビュー切換ボタン３１１が表示されている。なお、図４（１）では、ショッピングビュー切換ボタン３１１が１つしか設けられていないが、表示されている電子書籍のページ対応付けられた商品が複数ある場合には、当該商品の選択操作を受け付けるボタンも複数表示される。
【００３４】
続いて、書籍ビュー画面３０においてショッピングビュー切換ボタン３１１が操作され「○○ＢＧＭ」の選択操作が商品選択受付手段１３により受け付けられると、ショッピングビュー表示手段１６は、図４（２）に示すショッピングビュー画面５０（関連商品）を表示する。
このショッピングビュー画面５０は、商品説明部５１、関連書籍選択部５２及び商品購入部５３を含む。商品説明部５１は、関連商品の内容、図４（２）では、選択された「○○ＢＧＭ」の商品名や紹介文などの各種情報（作曲者・出版者・値段などを含む）、を表示する。関連書籍選択部５２は、関連商品に対応付けられた関連書籍の選択操作を受け付ける書籍選択ボタン（商品選択受付手段１３）、図４（２）では、「○○ＢＧＭ」に対応付けられた関連書籍「Ｂ９７５」の選択操作を受け付ける書籍選択ボタン５２１、及び関連書籍「Ｂ５５５」の選択操作を受け付ける書籍選択ボタン５２２、を表示する。商品購入部５３は、書籍ビュー画面３０に戻る書籍ビュー切換ボタン５３１、及び関連商品の購入操作を受け付ける購入ボタン５３２を表示する。
書籍ビュー切換ボタン５３１が操作されると、書籍ビュー表示手段１２によりショッピングビュー画面５０から書籍ビュー画面３０への切り換えが行われ、購入ボタン５３２が操作されると、購入手段１０による所定の決済処理が行われる。
【００３５】
また、ショッピングビュー画面５０において書籍選択ボタン５２１が操作され、関連書籍「Ｂ９７５」の選択操作が商品選択受付手段１３により受け付けられると、ショッピングビュー表示手段１６は、図４（３）に示すショッピングビュー画面７０（関連書籍）を表示する。
このショッピングビュー画面７０は、関連書籍説明部７１及び関連書籍購入部７２を含む。関連書籍説明部７１は、関連書籍の内容、図４（３）では、選択された「Ｂ９７５」の書籍名や紹介文などの各種情報（著作者・出版社・値段などを含む）、を表示する。関連書籍購入部７２は、ショッピングビュー画面７０における選択操作を受け付ける各種ボタン、例えば、書籍ビュー画面３０に戻る書籍ビュー切換ボタン７２１、関連書籍の購入操作を受け付ける購入ボタン７２２、及びショッピングビュー画面５０に戻るショッピングビュー切換ボタン７２３、を表示する。
書籍ビュー切換ボタン７２１が操作されると、書籍ビュー表示手段１２によりショッピングビュー画面７０から書籍ビュー画面３０への切り換えが行われ、購入ボタン７２２が操作されると、購入手段１０による所定の決済処理が行われ、ショッピングビュー切換ボタン７２３が操作されると、ショッピングビュー表示手段１６によりショッピングビュー画面７０からショッピングビュー画面５０への切り換えが行われる。
【００３６】
［電子書籍端末１の処理］
続いて、図５〜図７を参照して、電子書籍端末１の処理について説明する。図５は、電子書籍端末１の書籍購入処理を示し、図６は、電子書籍端末１の関連情報更新処理を示し、図７は、電子書籍端末１の電子書籍閲覧処理を示す。
【００３７】
［書籍購入処理］
図５を参照して、書籍購入処理について説明する。書籍購入処理は、ユーザによる書籍購入操作、例えば、図４（３）のショッピングビュー画面７０の購入ボタン７２２の操作、を契機として行われる。
Ｓ１：電子書籍端末１の購入手段１０は、ユーザからの書籍購入操作を受け付けると、所定の決済処理、例えば、クレジットカードにより決済処理を行う。
Ｓ２：続いて、電子書籍端末１の購入手段１０は、購入対象の電子書籍のデータ（電子書籍の書籍データ、商品データ及び関連書籍データ）を電子書籍サーバ２から受信する。
Ｓ３：続いて、電子書籍端末１の購入手段１０は、受信したデータを電子書籍ＤＢ１８及びショッピングＤＢ１９に記憶し、処理を終了する。
【００３８】
［関連情報更新処理］
図６を参照して、関連情報更新処理について説明する。関連情報更新処理は、ユーザからの指示や所定の周期といった任意のタイミングで行われる。
Ｓ１１：電子書籍端末１の関連情報更新手段１７は、電子書籍ＤＢ１８に記憶された購入済みの電子書籍をチェックする。
Ｓ１２：続いて、電子書籍端末１の関連情報更新手段１７は、電子書籍サーバ２にアクセスし、関連情報（所有する電子書籍に対応する関連商品の商品データ、及び当該関連商品に対応付けられた関連書籍の関連書籍データ）を収集する。
Ｓ１３：続いて、電子書籍端末１の関連情報更新手段１７は、収集した関連情報を電子書籍ＤＢ１８及びショッピングＤＢ１９に記憶し、処理を終了する。
なお、電子書籍端末１の関連情報更新手段１７は、関連情報の収集に際し、電子書籍ＤＢ１８及びショッピングＤＢ１９に記憶された情報と、電子書籍サーバ２に記憶された情報とが異なる情報のみを収集することとしてもよい。すなわち、電子書籍ＤＢ１８及びショッピングＤＢ１９に最新の情報が記憶されている場合には、電子書籍サーバ２から関連情報を収集しないこととしてもよい。
【００３９】
［電子書籍閲覧処理］
図７を参照して、電子書籍閲覧処理について説明する。電子書籍閲覧処理は、所定の書籍選択画面におけるユーザの電子書籍選択操作を契機として行われる。
【００４０】
Ｓ２１：電子書籍端末１の書籍情報読出手段１１は、ユーザにより選択された電子書籍の書籍データを電子書籍ＤＢ１８から読み出す。
Ｓ２２：続いて、電子書籍端末１の書籍ビュー表示手段１２は、読み出した書籍データに基づいて、電子書籍端末１の表示部に電子書籍の内容を表示する書籍ビュー画面３０を表示する。
Ｓ２３：続いて、電子書籍端末１の商品選択受付手段１３は、書籍ビュー画面３０において、ユーザによる商品選択部３２の選択操作を受け付ける。このとき、商品選択受付手段１３が選択操作を受け付けた場合には、Ｓ２４に移り、選択操作を受け付けない場合には、Ｓ２２に移り、書籍ビュー画面３０の表示を継続する。
【００４１】
Ｓ２４：続いて、電子書籍端末１の商品情報読出手段１４は、Ｓ２３で受け付けた商品に関する商品データをショッピングＤＢ１９から読み出す。また、電子書籍端末１の関連書籍情報読出手段１５は、Ｓ２４で読み出した商品に対応付けられた関連書籍の関連書籍データをショッピングＤＢ１９から読み出す。
Ｓ２５：続いて、電子書籍端末１のショッピングビュー表示手段１６は、Ｓ２４で読み出した商品データ及び関連書籍データに基づいて、書籍ビュー画面３０に代えてショッピングビュー画面５０を表示する
【００４２】
Ｓ２６：続いて、電子書籍端末１の制御部は、ショッピングビュー画面５０において、ユーザによる購入ボタン５３２の選択操作を受け付ける。このとき、購入ボタン５３２の選択操作を受け付けた場合には、所定の決済処理による購入処理を行い、ショッピングビュー画面５０の表示を継続する。他方、購入ボタン５３２の選択操作を受け付けない場合には、Ｓ２７に移る。
Ｓ２７：続いて、電子書籍端末１の商品選択受付手段１３は、ショッピングビュー画面５０において、ユーザによる書籍選択ボタン５２１，５２２の選択操作を受け付ける。このとき、書籍選択ボタン５２１，５２２の選択操作を受け付けた場合には、Ｓ２８に移り、選択操作を受け付けない場合には、Ｓ３０に移る。
【００４３】
Ｓ２８：続いて、電子書籍端末１のショッピングビュー表示手段１６は、Ｓ２４で読み出した関連書籍データに基づいて、ショッピングビュー画面５０に代えてショッピングビュー画面７０を表示する。
Ｓ２９：続いて、電子書籍端末１の制御部は、ショッピングビュー画面７０において、ユーザによる購入ボタン７２２の選択操作を受け付ける。このとき、購入ボタン７２２の選択操作を受け付けた場合には、所定の決済処理による購入処理、例えば、図５に示す書籍購入処理を行い、ショッピングビュー画面７０の表示を継続する。他方、購入ボタン７２２の選択操作を受け付けない場合には、Ｓ３０に移る。
【００４４】
Ｓ３０：続いて、電子書籍端末１の制御部は、ユーザからの選択操作を受け付け、受け付けた選択操作に応じた画面を表示する。すなわち、ショッピングビュー画面５０における書籍ビュー切換ボタン５３１の選択操作、又はショッピングビュー画面７０における書籍ビュー切換ボタン７２１の選択操作を受け付けた場合には、Ｓ２２に移り、書籍ビュー画面３０を表示し、ショッピングビュー画面７０におけるショッピングビュー切換ボタン７２３の選択操作を受け付けた場合には、Ｓ２５に移り、ショッピングビュー画面５０を表示する。
【００４５】
以上、本実施形態の電子書籍端末１について説明した。このような電子書籍端末１では、書籍ビュー画面３０において同時に表示されるショッピングビュー切換ボタン３１１を操作するだけで、表示されていた電子書籍のページに関連する商品の購入操作を行うことができる。そのため、関連商品の購入にあたり、別途購入用のアプリケーションを立ち上げる必要がなく、ユーザの購入意欲の減退を防止することができる。
【００４６】
また、電子書籍端末１では、関連商品のショッピングビュー画面５０において、単に関連商品を購入するための画面だけではなく、この関連商品に対応付けられた別の電子書籍（関連書籍）を紹介することとしている。これにより、電子書籍端末１が表示する電子書籍について、電子書籍→関連商品→関連書籍→関連商品・・・といった一連のサイクルが生成され、電子書籍の円滑な流通を実現することができる。
【００４７】
［第２実施形態］
続いて、図８を参照して、第２実施形態の電子書籍ビュアー１Ａについて説明する。第１実施形態は、購入手段１０〜関連情報更新手段１７を備える電子書籍端末１という装置であったが、第２実施形態は、ユーザ端末１００（コンピュータ）に購入手段１０〜関連情報更新手段１７を実行させるの電子書籍ビュアー１Ａというアプリケーション（プログラム）である点で異なる。
各手段の機能については、基本的に第１実施形態と同一であるため同一の符号を付し、説明を省略する。
【００４８】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【００４９】
例えば、書籍情報読出手段１１、商品情報読出手段１４及び関連書籍情報読出手段１５は、ユーザの選択操作に基づいて、電子書籍ＤＢ１８及びショッピングＤＢから所定のデータを読み出すこととしているが、これに限られるものではなく、ユーザの選択操作を受け付けると、電子書籍サーバ２にアクセスし、所定のデータを読み出すこととしてもよい。このような構成によっても、ユーザが所有する電子書籍についての最新の情報を閲覧することができる。
なお、電子書籍サーバ２から直接読み出すデータは、電子書籍の書籍データ、商品データ及び関連書籍データのうち、１のみのデータだけであってもよく、また、２以上のデータであってもよい。
【符号の説明】
【００５０】
１    電子書籍端末
１０  購入手段
１１  書籍情報読出手段
１２  書籍ビュー表示手段
１３  商品選択受付手段
１４  商品情報読出手段
１５  関連書籍情報読出手段
１６  ショッピングビュー表示手段
１７  関連情報更新手段
１８  電子書籍ＤＢ
１９  ショッピングＤＢ
２    電子書籍サーバ
１Ａ  電子書籍ビュアー１Ａ
【図１】
0005393638.tif 000002
【図２】
0005393638.tif 000003
【図３】
0005393638.tif 000004
【図４】
0005393638.tif 000005
【図５】
0005393638.tif 000006
【図６】
0005393638.tif 000007
【図７】
0005393638.tif 000008
【図８】
0005393638.tif 000009